(57)【特許請求の範囲】
【請求項１】
周壁部に連通孔を有すると共に、内周面における少なくとも前記連通孔の周囲にシール部材が設けられている環状部と、
前記環状部の周壁部における前記連通孔の周囲から斜め外方に突出しており、排水管洗浄用具の挿入に用いられるガイド筒部と
が一体になっており、
排水管系の横引管に形成された貫通孔に、前記連通孔が連通するように位置合わせして、前記横引管の外面に前記環状部を密接させて装着される排水管洗浄用アタッチメントであって、
前記環状部が、前記横引管の外面の周方向の全てを被覆する断面略円形に形成されていると共に、軸方向に沿って二分割されており、この二分割された各分割環状部同士が連結されて、前記横引管に装着されるものであることを特徴とする排水管洗浄用アタッチメント。
【請求項２】
前記環状部が、前記横引管の外面の周方向の一部を被覆する断面略弧状に形成されており、前記横引管の外径に従って拡縮して装着される請求項１記載の排水管洗浄用アタッチメント。
【請求項３】
周壁部に連通孔を有すると共に、内周面における少なくとも前記連通孔の周囲にシール部材が設けられている環状部と、前記環状部の周壁部における前記連通孔の周囲から斜め外方に突出しているガイド筒部とが一体になっている排水管洗浄用アタッチメントを、
横引管に形成された貫通孔に、前記連通孔が連通するように位置合わせして、前記横引管の外面に前記環状部を密接させて装着し、
前記ガイド筒部から排水管洗浄用具を挿入し、前記連通孔及び貫通孔を介して、前記横引管内を洗浄する排水管洗浄方法であって、
前記環状部が、前記横引管の外面の周方向の全てを被覆する断面略円形に形成されていると共に、軸方向に沿って二分割されており、
この二分割された各分割環状部を前記横引管の外面に向かい合わせとなるように配置して連結する工程を有することを特徴とする排水管洗浄方法。
【請求項４】
前記環状部が、前記横引管の外面の周方向の一部を被覆する断面略弧状に形成されており、
前記横引管の外径に従って拡縮させて、前記横引管の外面に装着する工程を有する請求項３記載の排水管洗浄方法。
【請求項５】
前記排水管洗浄用アタッチメントを、前記ガイド筒部が、前記横引管の軸方向に沿って下流側に傾斜するように取り付け、前記排水管洗浄用具を前記ガイド筒部から前記横引管内に挿入し、前記横引管内を上流方向に向かって移動させていく請求項３又は４記載の排水管洗浄方法。
【発明の詳細な説明】
【技術分野】
【０００１】
本発明は、排水管を洗浄するために用いられる排水管洗浄用アタッチメント及び該排水管洗浄用アタッチメントを用いた排水管洗浄方法に関する。
【背景技術】
【０００２】
特許文献１には、バルーンと、このバルーンに空気を供給するエアチューブと、長尺なガイド部材とを備えた小便器用排水管の洗浄用具が開示されている。この洗浄用具は次のように使用される。まず、小便器用排水管の横引管の最上流に設けられた掃除口から、ガイド部材を利用してバルーンを挿入し、エアチューブを介してバルーンを膨張させて横引管内周面に密着させる。バルーンが密着することにより、横引管内に閉鎖区間が形成されるため、その閉鎖区間に尿石等を溶解する薬剤を供給し、所定時間経過したならばバルーンを収縮させて排水する。その後、高圧洗浄機の洗浄用ホースを横引管の掃除口から挿入し、横引管内を高圧洗浄する。また、特許文献２には、先端に膨張、収縮可能な弾性部材を有する管内閉塞部材を用いて、特許文献１と同様に横引管内を洗浄する装置が開示されている。
【先行技術文献】
【特許文献】
【０００３】
【特許文献１】特開２００７−３１５１１４号公報
【特許文献２】特開２００３−２６６０３８号公報
【発明の概要】
【発明が解決しようとする課題】
【０００４】
特許文献１及び２に開示の洗浄方法では、横引管内に洗浄用具のバルーンや弾性部材を挿入する場合及び高圧洗浄機の洗浄用ホースを挿入する場合等のいずれにおいても、横引管に設けられた掃除口からそれらを挿入して実施している。しかし、例えば高圧洗浄機の洗浄用ホースは、横引管内で、加圧した水をノズル先端から逆噴射させながら移動させ、剥がれ落ちた尿石その他の付着物が、掃除口方向である上流側に集められるように用いられる。そのため、横引管内を高圧洗浄後、上流側から再び水を供給して、剥がれ落ちた付着物を下流側の排水立て管に流す工程が必要となる。また、逆噴射方向が上流側となるため、洗浄用ホースを横引管内で移動させる際の作業性が悪い。
【０００５】
また、最上流に設けられる掃除口を利用しにくい場合等には、横引管を中途で切断し、掃除口を有する継ぎ手を新たに設置することも行われている。この手段を用いれば、横引管の下流寄りに新たな掃除口を設けることが可能であるが、横引管の切断、継ぎ手の接続といった作業は非常に面倒である。また、継ぎ手を新たに設けた場合、横引管と継ぎ手とのつなぎ目において、必ず段差が生じ、その段差に毛髪、ゴミ等が堆積しやすくなる。これは継ぎ手をより下流側、すなわち排水立て管に近い位置に設けるほど、流れてくるゴミ等の量が増加し、それに伴いそれらの堆積も顕著になる。
【０００６】
本発明は上記に鑑みなされたものであり、簡易な構成で、排水管系の横引管の所望の位置に容易に設けることができると共に、ゴミ等の堆積要因になることもない排水管洗浄用アタッチメント及び該排水管洗浄用アタッチメントを用いた排水管洗浄方法を提供することを課題とする。
【課題を解決するための手段】
【０００７】
上記課題を解決するため、本発明の排水管洗浄用アタッチメントは、
周壁部に連通孔を有すると共に、内周面における少なくとも前記連通孔の周囲にシール部材が設けられている環状部と、
前記環状部の周壁部における前記連通孔の周囲から斜め外方に突出しており、排水管洗浄用具の挿入に用いられるガイド筒部と
が一体になっており、
排水管系の横引管に形成された貫通孔に、前記連通孔が連通するように位置合わせして、前記横引管の外面に前記環状部を密接させて装着されることを特徴とする。
【０００８】
前記環状部が、前記横引管の外面の周方向の全てを被覆する断面略円形に形成されていると共に、軸方向に沿って二分割されており、各分割環状部同士が連結されて、前記横引管に装着される構成とすることができる。
また、前記環状部が、前記横引管の外面の周方向の一部を被覆する断面略弧状に形成されており、前記横引管の外径に従って拡縮して装着される構成とすることができる。
【０００９】
また、本発明の排水管洗浄方法は、
周壁部に連通孔を有すると共に、内周面における少なくとも前記連通孔の周囲にシール部材が設けられている環状部と、前記環状部の周壁部における前記連通孔の周囲から斜め外方に突出しているガイド筒部とが一体になっている排水管洗浄用アタッチメントを、
横引管に形成された貫通孔に、前記連通孔が連通するように位置合わせして、前記横引管の外面に前記環状部を密接させて装着し、
前記ガイド筒部から排水管洗浄用具を挿入し、前記連通孔及び貫通孔を介して、前記横引管内を洗浄することを特徴とする。
【００１０】
前記環状部が、前記横引管の外面の周方向の全てを被覆する断面略円形に形成されていると共に、軸方向に沿って二分割されており、前記横引管の外面に各分割環状部を向かい合わせとなるように配置して連結する工程を有する構成とすることができる。
また、前記環状部が、前記横引管の外面の周方向の一部を被覆する断面略弧状に形成されており、前記横引管の外径に従って拡縮させて、前記横引管の外面に装着する工程を有する構成とすることができる。
【００１１】
また、本発明の排水管洗浄方法は、前記排水管洗浄用アタッチメントを、前記ガイド筒部が、前記横引管の軸方向に沿って下流側に傾斜するように取り付け、前記排水管洗浄用具を前記ガイド筒部から前記横引管内に挿入し、前記横引管内を上流方向に向かって移動させていくように実施することが好ましい。
【発明の効果】
【００１２】
本発明の排水管洗浄用アタッチメントは、環状部の周壁部に連通孔を有し、その内周面における連通孔の周囲にシール部材が設けられている。従って、環状部を、横引管の管壁部に形成された貫通孔に、連通孔を位置合わせして取り付ければ、シール部材によって貫通孔及び連通孔の周囲が密接した状態で連通する。連通孔にはガイド筒部が一体に設けられているため、ガイド筒部から排水管洗浄用具を挿入すれば、該排水管洗浄用具は、連通孔及び貫通孔を介して簡単に横引管内に挿入される。すなわち、本発明の排水管洗浄用アタッチメントを用いれば、横引管のいずれの位置に貫通孔を形成した場合であっても、その貫通孔を排水管洗浄用具の挿入口（掃除口）とすることができる。また、横引管の中途を切断して継ぎ手を接続する手段のように、つなぎ目が生じることがないため、本発明の排水管洗浄用アタッチメントが、毛髪やゴミ等の新たな堆積要因となることもない。
【００１３】
よって、本発明の排水管洗浄用アタッチメントは、排水立て管により近い位置に設けることができ、横引管の下流から高圧洗浄機の洗浄用ホースを挿入し、逆噴射を利用して上流方向に進めることができるため、尿石等の付着物を速やかに下流側すなわち排水立て管側に流すことができ、洗浄作業の効率化を図ることができる。また、横引管内をせき止めて、薬剤で尿石等の付着物を溶かす作業を行う場合にも、排水立て管により近い位置に設けた本発明の排水管洗浄用アタッチメントのガイド筒部からバルーンを有する洗浄用具を挿入してバルーンを膨らませればよく、従来の上流側から下流側まで挿入してバルーンを膨らませる作業と比較して、簡易かつ速やかに行うことができ、かかる作業の効率化も図ることができる。
【図面の簡単な説明】
【００１４】
【図１】図１は、本発明の一の実施形態に係る排水管洗浄用アタッチメントを示した斜視図である。
【図２】図２（ａ）は、図１の実施形態に係る排水管洗浄用アタッチメントの閉じた状態における側面図であり、図２（ｂ）は、その端面図である。
【図３】図３（ａ）は、図１の実施形態に係る排水管洗浄用アタッチメントの開いた状態における側面図であり、図３（ｂ）は、その端面図である。
【図４】図４は、図１の実施形態に係る排水管洗浄用アタッチメントを横引管に装着する方法を説明するための図である。
【図５】図５は、本発明の排水管洗浄方法の実施形態を説明するための図である。
【図６】図６は、本発明の他の実施形態に係る排水管洗浄用アタッチメントを示した斜視図である。
【図７】図７（ａ）は、図６の実施形態に係る排水管洗浄用アタッチメントの閉じた状態における側面図であり、図７（ｂ）は、その端面図である。図７（ｃ）は、図７（ｂ）よりも太い直径の横引管に排水管洗浄用アタッチメントを装着した状態における端面図である。
【発明を実施するための形態】
【００１５】
以下、図面に示した実施形態に基づき本発明をさらに詳細に説明する。図１〜図５は、本発明の一の実施形態に係る排水管洗浄用アタッチメント１を説明するための図である。本実施形態の排水管洗浄用アタッチメント１は、建物内の排水管系において、衛生器具、特に小便器の器具配設管２０００が接続されると共に、最下流位置において排水立て管３０００に接続される横引管１０００に装着される（図５参照）。横引管１０００には、本実施形態の排水管洗浄用アタッチメント１を装着する箇所であって、該横引管１０００の上部寄りに貫通孔１１００が予め形成されている。
【００１６】
本実施形態の排水管洗浄用アタッチメント１は、図１及び図２に示すように、環状部２とガイド筒部３を有して構成される。環状部２は、本実施形態では、上記横引管１０００の外径とほぼ同じ内径で、横引管１０００の外面の周方向の全てを被覆する断面略円形に形成されている。環状部２は、その軸方向に沿って２つの分割環状部２ａ，２ｂに二分割され、２つの分割環状部２ａ，２ｂの接合部の一方側にヒンジ部２ｃが設けられ、他方に係合部材２ｄが設けられている。係合部材２ｄの係合を解除した状態で、分割環状部２ａ，２ｂを相互に離間する方向にヒンジ部２ｃを中心に開き、その状態で、横引管１０００回りに被せて、分割環状部２ａ，２ｂを再び接近させ、係合部材２ｄで両者を係合することで、横引管１０００回りに装着できる（図３、図４参照）。
【００１７】
環状部２は、その周壁部２１において連通孔２２が貫通形成されている。また、環状部２の内周面においては、該連通孔２２の少なくとも周囲に、本実施形態では、内周面全体にゴム、合成樹脂等のシール部材２３が取り付けられている。従って、２つの分割環状部２ａ，２ｂを上記のように開き、連通孔２２が横引管１０００の貫通孔１１００に合致するように該横引管１０００に被せて閉じ、係合部材２ｄで２つの分割環状部２ａ，２ｂを係合させれば、該横引管１０００の外周面にシール部材２３が密接して固定されることになる。
【００１８】
ガイド筒部３は、環状部２の連通孔２２の周囲に位置する周壁部２１から斜め外方に突出するように設けられ、環状部２と一体になっている。環状部２の連通孔２２を横引管１０００の貫通孔１１００に合わせて装着することにより、貫通孔１１００に対し、連通孔２２を介してガイド筒部３が連通することになる。上記のように、貫通孔１１００は、横引管１０００の上部寄りに設けられているため、この貫通孔１１００に連通孔２２を位置合わせして環状部２を取り付けると、ガイド筒部３の取り付け時の突出方向は、斜め上方となる。また、ガイド筒部３は、一方に傾斜しており、その傾斜方向に沿って排水管用洗浄用具が挿入される。そのため、環状部２を横引管１０００の排水立て管３０００に近い下流側に設ける場合、ガイド筒部３が下流側に傾斜するように取り付ける。それにより、排水管用洗浄用具を挿入すると、該排水管洗浄用具は横引管１０００内で上流方向に案内されることになる。
【００１９】
本実施形態の排水管洗浄用アタッチメント１は、次のように使用される。まず、図４及び図５に示したように、排水管系における横引管１０００の適宜位置に、貫通孔１１００を開設する。開設位置は、上記のように、横引管１０００が接続される排水立て管３０００にできるだけ近い下流側で、横引管１１００の上部付近とする。小便器用の横引管１０００の場合、隣接する複数の小便器のうち、好ましくは、最も下流側に位置する小便器に接続された器具排水管２０００と排水立て管３０００との間に位置する部位に開設する（図５参照）。
【００２０】
次に、排水管洗浄用アタッチメント１の環状部２を構成する分割環状部２ａ，２ｂのヒンジ部２ｃを中心に開いて（図３及び図４参照）、貫通孔１１００に連通孔２２を位置合わせして、横引管１０００の外周面にシール部材２３が密接するように被せ、係合部材２ｄで２つの分割環状部２ａ，２ｂを固定する（図１参照）。これにより、ガイド筒部３の中空部が連通孔２２を介して横引管１０００の貫通孔１１００に連通する。また、この際、ガイド筒部３の傾斜方向が、下流側に向かう向きとなるように取り付ける。
【００２１】
排水管の洗浄を行わない通常時においては、ガイド筒部３の開口端部３ａはキャップ３１を装着しておくことが好ましい（図１参照）。小便器用の横引管１０００内では、排水は、該横引管１０００の長手方向に沿った中心（軸心）位置の高さよりも下方を流れており、基本的に排水の水面がこの軸心位置よりも上方に至ることはほとんどない上、ガイド筒部３が環状部２からさらに外方に突出しているため、ガイド筒部３から溢れることもない。しかしながら、何らかの原因での流出防止及び臭気の防止等のため、キャップ３１で該開口端部３ａを密封しておくことが好ましい。
【００２２】
横引管１０００の洗浄を行う際には、まず、キャップ３１を取り外す。次に、例えば、図５に示したように、排水管洗浄器具としての高圧洗浄機の洗浄用ホースをガイド筒部３に挿入する。ガイド筒部３は、下流側に傾斜しているため、洗浄用ホースを挿入すると上流側に向かって挿入されることになる。高圧洗浄機の洗浄用ホースは、ノズルから水が逆噴射するため、洗浄用ホースをガイド筒部３内に挿入して動作させると、そのまま自走するように横引管１０００内を上流方向に移動していく。下流側から上流側に向かっていくため、水圧によって横引管１０００内周面から剥がれ落ちる尿石等の付着物は、そのまま下流方向に流れ、排水立て管３０００に向かって排出されていく。よって、従来の上流側の掃除口から洗浄用ホースを挿入する場合と異なり、高圧洗浄後、剥がれ落ちた尿石等の付着物を改めて流す作業が不要で効率的に洗浄作業を行うことができる。
【００２３】
排水管洗浄器具としてバルーンを備えたものを用いる場合も、上記のガイド筒部３を介して横引管１０００内に挿入する。この際、本実施形態の排水管洗浄用アタッチメント１は、上記のように排水立て管３０００に、より近い下流側に設けられているため、挿入した位置でそのままバルーンを膨張させればよい。従来の上流側の掃除口から挿入する排水管洗浄用器具では、バルーンができるだけ下流位置となるように、ガイド部材でガイドして横引管内に押し込む必要があったが、本実施形態の排水管洗浄用アタッチメント１を用いることにより、バルーンの配置作業も容易となる。よって、バルーンを膨張させて、それより上流側の区間の横引管１０００内を薬品につける作業も速やかに行うことができる。
【００２４】
図６及び図７は、本発明の他の実施形態にかかる排水管洗浄用アタッチメント１００を示した図である。本実施形態では、環状部１２０が断面略円形ではなく、周壁部１２１の一部が軸方向に沿って切り欠かれた形状になっている。すなわち、横引管１０００の外面の周方向の一部を被覆する断面略弧状に形成されている。
【００２５】
よって、横引管１０００に装着する場合には、切り欠き１２０ａを広げて横引管１０００の外面に被せる。環状部１２０としては、それ自身が、弾性を有する合成樹脂製又は金属製で、切り欠き１２０ａを広げて横引管１０００の外面に被せると、その復元力によって、環状部１２０の内周面に設けたシール部材１２３が横引管１０００の外面に密接するものが好ましい。また、環状部１２０を横引管１０００に装着後は、その外周をバンド部材１４０で固定することが好ましい（図７（ａ）参照）。なお、環状部１２０に連通孔１２２が形成され、この連通孔１２２に連通するガイド筒部１３０が斜め外方に突出していることは上記実施形態と全く同様である。また、図６に示した符号１３１は、ガイド筒部１３０の開口端部１３０ａを閉塞するキャップである。
【００２６】
本実施形態の排水管洗浄用アタッチメント１００も、上記実施形態と同様に、環状部１２０に形成された連通孔１２２を横引管１０００に形成した貫通孔１１００に位置合わせして配設し、ガイド筒部１３０から高圧洗浄機の洗浄用ホースやバルーン等、各種排水管洗浄用器具を挿入して使用される。このとき、横引管１０００のより下流に近い位置に貫通孔１１００を形成して装着することが好ましいことは上記実施形態と同様である。
【００２７】
また、本実施形態の排水管洗浄用アタッチメント１００は、切り欠き１２０ａを有し、この切り欠き１２０ａを広げて横引管１０００に装着する構成であるため、横引管１０００の外径に従って環状部１２０は拡縮する。そのため、図７（ｂ），（ｃ）に示したように、異なる外径を有する横引管１０００に装着することが可能である。この場合、環状部１２０が上記のように弾性を有することにより、その復元力の作用によって、種々の横引管１０００の外面に容易に密接配置することができる。
【符号の説明】
【００２８】
１，１００  排水管洗浄用アタッチメント
２，１２０  環状部
２ａ，２ｂ  分割環状部
２１，１２１  周壁部
２２，１２２  連通孔
２３，１２３  シール部材
３，１３０  ガイド筒部
１０００  横引管
１１００  貫通孔
２０００  器具排水管
３０００  排水立て管
【図１】
0006763677.tif 000002
【図２】
0006763677.tif 000003
【図３】
0006763677.tif 000004
【図４】
0006763677.tif 000005
【図５】
0006763677.tif 000006
【図６】
0006763677.tif 000007
【図７】
0006763677.tif 000008